(57)【特許請求の範囲】
【請求項１】
取付枠と前記取付枠内を移動する遮断器本体とからなり、前記遮断器本体の引出／挿入操作時に前記取付枠に備えられる端子から突出形成された引出接触端上を前記遮断器本体の移動方向に摺動して開離及び接触する接触子を遮断器本体に備える引出型回路遮断器において、前記遮断器本体を引き出すとき自動的に前記取付枠の端子の引出接触端の前記遮断器本体に対向する端面を覆うシャッタ板を有するシャッタ装置であって、
一端部が前記取付枠の端子の引出接触端の根元に位置し且つ他端部が前記遮断器本体の挿入状態において前記端子の引出接触端に摺動接触する前記接触子よりも前記端子の引出接触端の根元側に位置することにより前記接触子と接触することのないように設けられて前記端子の引出接触端の根元側部分の上下及び側方を覆う固定絶縁筒と、
前記固定絶縁筒に沿って移動自在であって前記遮断器本体が引き出される方向に付勢され前記遮断器本体の引出状態において前記端子の引出接触端の先端側部分の上下及び側方を覆うことにより前記固定絶縁筒と共同して前記端子の引出接触端の根元から先端までの上下及び側方を覆うように設けられた可動絶縁筒と
を前記取付枠に備え、前記遮断器本体が挿入されるとき前記可動絶縁筒を挿入方向に移動させる動作部材を遮断器本体に備えることを特徴とする引出型回路遮断器のシャッタ装置。
【発明の詳細な説明】
【０００１】
【発明の属する技術分野】
この発明は、引出型回路遮断器のシャッタ装置に係り、特に遮断器本体が引き出されたときに自動的に取付枠の端子を覆って感電事故を防止するシャッタ装置に関する。
【０００２】
【従来の技術】
従来の引出型回路遮断器のシャッタ装置の例が特開平９−１６１６２５号公報に開示されている。この引出型回路遮断器は取付枠の端子と遮断器本体の端子が互いにその対向面で接触する構造となっており、取付枠側の端子は上下及び側面が固定絶縁物で覆われており、遮断器本体が引き出されたときだけ本体端子との接触面を移動自在のシャッタ板で覆い、充電部である取付枠の端子に接触することによる感電事故を防止するようにしている。
【０００３】
このシャッタ装置は取付枠の対向する側板に遮断器本体の引出／挿入方向に水平移動自在の一対のシャッタ保持板にシャッタ板の両端を取り付けたものである。このシャッタ保持板にはシャッタ板の移動を案内する傾斜したガイド溝が形成されており、遮断器本体が挿入されるときシャッタ保持板をシャッタ板と共に水平移動させ、シャッタ板が取付枠端子と当接し水平方向の移動が阻止されてからはシャッタ板がシャッタ保持板のガイド溝に沿って垂直方向へ移動し接触面が現れ、本体端子との接触が可能となる。
【０００４】
【発明が解決しようとする課題】
この従来のシャッタ装置は、取付枠端子の上下及び側面を固定の絶縁物で覆っているため小さいシャッタ板で十分であり、遮断器本体にはシャッタ装置を駆動するための特別の部材が不要になるという特徴がある。しかし、この従来の引出型回路遮断器は取付枠の端子と遮断器本体の端子が互いにその対向面で接触する構造であるためこのような絶縁物は固定して備えることができたが、回路遮断器によっては、挿入操作において遮断器本体の接触子が取付枠の端子上を挿入方向に摺動して接触するものがあり、このような遮断器は摺動部分を除いて絶縁物を取り付ける必要があった。しかし、このような摺動部分に接触して感電することのないようにシャッタ板を大きくする必要があり、必然的にシャッタ装置も大型で強度のある構造のものにする必要があった。
【０００５】
この発明は、このような従来の問題点を解消するためになされたもので、確実に絶縁できるとともにシャッタ板は端子の端面を覆うだけの小さなもので十分でありこのシャッタ板を操作する動作装置も小型化できる引出型回路遮断器のシャッタ装置を提供することを目的とする。
【０００６】
【課題を解決するための手段】
このような目的を達成するために、この発明の引出型回路遮断器のシャッタ装置は、取付枠と取付枠内を移動する遮断器本体とからなり、遮断器本体の引出／挿入操作時に取付枠に備えられる端子から突出形成された引出接触端上を遮断器本体の移動方向に摺動して開離及び接触する接触子を遮断器本体に備える引出型回路遮断器において、遮断器本体を引き出すとき自動的に取付枠の端子の引出接触端の遮断器本体に対向する端面を覆うシャッタ板を有するシャッタ装置であって、一端部が取付枠の端子の引出接触端の根元に位置し且つ他端部が遮断器本体の挿入状態において端子の引出接触端に摺動接触する接触子よりも端子の引出接触端の根元側に位置することにより接触子と接触することのないように設けられて端子の引出接触端の根元側部分の上下及び側方を覆う固定絶縁筒と、固定絶縁筒に沿って移動自在であって遮断器本体が引き出される方向に付勢され遮断器本体の引出状態において端子の引出接触端の先端側部分の上下及び側方を覆うことにより固定絶縁筒と共同して端子の引出接触端の根元から先端までの上下及び側方を覆うように設けられた可動絶縁筒とを取付枠に備え、遮断器本体が挿入されるとき可動絶縁筒を挿入方向に移動させる動作部材を遮断器本体に備えることを特徴としている。
【０００７】
そしてこの構成により、遮断器本体の挿入前は取付枠の端子の引出接触端の上下及び側方は固定及び可動絶縁筒によって覆われ、遮断器本体と対向する端面はシャッタ板に覆われる。遮断器本体を挿入するときシャッタ板は自動的に開き、可動絶縁筒は挿入方向に移動して遮断器本体との摺動接触部が現れてくるため支障なく摺動接触できる。引き出すときは、付勢力により自動的に端子の上下及び側方の全体が絶縁物で覆われ、端面もシャッタ板で覆われる。
【０００８】
【発明の実施の形態】
この発明の実施の形態を図１ないし図８に示される実施例によって説明する。
図１はこの実施例に係るシャッタ装置を装着した引出型回路遮断器の側面部分断面図であって取付枠１と遮断器本体２とからなり、遮断器本体２が取付枠１に挿入されている状態を示している。取付枠１には電源側端子３と負荷側端子４が備えられ、遮断器本体２は成型絶縁物のベース５上に構成されており遮断器本体２の開閉接触部などの主回路導電部に接続される引出接触子６、６及び７、７が備えられている。引出接触子６、６及び７、７は、それぞれ電源側端子３及び負荷側端子４の引出接触端３ａ及び４ａの上下両面を挟むように接触し、引出操作によって遮断器本体２が図１の左方へ移動したときそれぞれ電源側端子３及び負荷側端子４から開離する。なお、負荷側端子４及び引出接触子７、７は電源側端子３及び引出接触子６、６と上下対称に構成されており、これに対応してこの実施例のシャッタ装置も同様に上下対称に構成されている。
【０００９】
図２は、３極型回路遮断器の遮断器本体２を引き出した後の取付枠１を図１において左方向から見た図であって、この実施例のシャッタ装置は、対向する一対の側板８、８上に対向するように取り付けられた上下各一対のシャッタユニット９、９及び１０、１０によってそれらの両端が保持されるそれぞれシャッタ板１１及び１２によって、３極分の電源側端子３及び負荷側端子４を覆うように構成されている。なお、図２は、便宜的に、上側は電源側端子３の引出接触端３ａがシャッタ板１１によって覆われている（シャッタ装置が閉じた）状態、下側は負荷側端子４の引出接触端４ａが露出した（シャッタ装置が開いた）状態を示している。上述のごとく上下のシャッタ装置は互いに同一構成で上下対称に配置されているだけであるため、以下の説明は主として上側のシャッタ装置について説明する。
【００１０】
図３は図２における左極の上側を示す正面図、図４はその側面図、図６は主要部分の分解斜視図である。右極の上側は左極と左右対称で構成は同一のため説明を省略する。シャッタユニット９はユニット取付板１３、水平スライド部材１４、上下スライド部材１５及びフック１８を有する。断面が「コ」字状のユニット取付板１３がその対向する腕１３ａが水平方向に並ぶように側板８に取り付けられ、その対向する腕１３ａに設けられたガイド軸１９にはばね２０によって遮断器本体２が引き出される方向に付勢される水平スライド部材１４が移動可能に取り付けられている。
【００１１】
水平スライド部材１４は下方に向かう略矢印状に形成され、その下端にロック係合部１４ａが、中央部に垂直方向の長孔１４ｂが、長孔１４ｂの上端に保持係合部１４ｃが、矢印の一方の鍔部分にパッドロック孔１４ｄが形成されている。弾性成型物で構成される上下スライド部材１５には、ともに先端部の水平方向の全幅が長孔１４ｂの幅より大きく脚部がその幅よりも小さい主スタッド１６とガイドスタッド１７が立脚し、それぞれ立脚方向であって垂直方向の溝が形成されるように２分割されている。ブッシング２１は直径の異なる小外周部２１ａと大外周部２１ｂを有し、その内径が主スタッド１６の先端部より小さく脚部より大きい円筒状に形成されている。フック１８には、ブッシング２１の小外周部２１ａより大きく大外周部２１ｂより小さい直径の丸孔１８ａとロックフック部１８ｂと保持フック部１８ｃが形成されるとともに、動作スタッド２２が取り付けられている。
【００１２】
これら上下スライド部材１５、ブッシング２１、フック１８が水平スライド部材１４に取り付けられているが、その取付方法は、先ず側板８側から主スタッド１６とガイドスタッド１７とをそれぞれの分割方向に湾曲させながら長孔１４ｂに挿入し、自由状態とすると弾性により直立状態に復帰してそれぞれの先端部が長孔１４ｂの幅より大きいため上下スライド部材１５が水平スライド部材１４から外れることはなく、双方の脚部がガイド作用を呈して上下スライド部材１５を長孔１４ｂに沿って上下移動を可能にする。ブッシング２１は、その小外周部２１ａの部分にフック１８の丸孔１８ａを嵌め込んだ状態で、中空部を主スタッド１６の先端部から挿入して主スタッド１６に取り付ける。この取付中主スタッド１６は前述と同様に湾曲するが、取付が完了するとブッシング２１が主スタッド１６の脚部に収まり、主スタッド１６が直立状態に復帰してその先端部がブッシング２１の内径より大きいためブッシング２１が主スタッド１６から脱落することはなく、フック１８はブッシング２１の周りを回転自在に保持される。
【００１３】
このようにして対向する側板８、８に取り付けられた左右対称のシャッタユニット９、９のそれぞれのガイドスタッド１７、１７の分割溝にシャッタ板１１の上側の端部１１ａ，１１ａを嵌め込み、主スタッド１６、１６の分割溝に下側の端部１１ｂ、１１ｂを嵌め込むことによってシャッタ板１１を垂直方向に保持できる。このように取り付けられたシャッタ板１１は他の部品に固定されないため、シャッタ板１１の幅寸法の精度はガイドスタッド１７や主スタッド１８から脱落しないような程度であればよい。なお、この取付けに際してはシャッタユニット９、９を側板８、８に取り付けた後シャッタ板１１を多少湾曲させて嵌め込んでもよく、先に嵌め込んでから側板８、８にシャッタユニット９、９を取り付けてもよい。
【００１４】
一方、図７によく示されるように、電源側端子３の引出接触端３ａには角型筒状の絶縁成型物で構成される一組の固定絶縁筒２３と可動絶縁筒２４が取り付けられ、可動絶縁筒２４はばね２５によって引出接触端３ａの先端部方向に付勢され、自由状態では固定絶縁筒２３と共同して引出接触端３ａの先端までその上下及び側方を覆う。
【００１５】
このような構成のシャッタ装置の動作について説明する。
図４は遮断器本体２が取付枠１に挿入される前の状態を示しており、水平スライド部材１４はばね２０によって移動可能範囲の最左端にあり、上下スライド部材１５は図示されないばねによってその移動可能範囲の最下端にあり、フック１８は反時計方向に付勢する図示されないばねによってロックフック部１８ｂとロック係合部１４ａが係合可能な位置にある。また、引出接触端３ａは、その上下左右が固定絶縁筒２３と可動絶縁筒２４によってその先端まで覆われ、先端の端面はシャッタ板１１によって覆われている。なお、図４及び図５において、シャッタ板１１は図３のＸ−Ｘ断面で表されている。
【００１６】
この状態ではロックフック部１８ｂがロック係合部１４ａと係合するため水平スライド部材１４を不用意に上方にスライドすることができないため引出接触端３ａは前面が絶縁物で覆われ安全を確保できる。また、パッドロック孔１４ｄに南京錠を取り付けることによってより安全性を確保できる。
【００１７】
図４の状態から遮断器本体２を取付枠１に挿入する操作を行うと、遮断器本体２に取り付けられた動作板２６が右方向に移動してその傾斜縁２６ａに動作スタッド２２が当接する。さらに操作を続けると動作スタッド２２が傾斜縁２６ａ上を移動しながらフック１８を時計方向に回転させてロックフック部１８ｂがロック係合部１４ａに係合しない状態となり、引き続いて傾斜縁２６ａはブッシング２１の大外周部２１ｂと当接して大外周部２１ｂが傾斜縁２６ａに沿って上方に移動するのに伴って上下スライド部材１５がフック１８やシャッタ板１１と共に上方へ移動し引出接触端３ａの先端端面が露出する。そして、ガイドスタッド１７が長孔１４ｂの上端に達すると上下スライド部材１５の上方への移動が制限されるため、水平スライド部材１４が上下スライド部材１５などを伴って右方向へ移動し図５の状態となる。
【００１８】
この挿入操作において遮断器本体２が右方向へ移動すると、図１において引出接触子６の付近を右方向から見た状態を示す図８において引出接触子６を収納するベース５の開口縁部開口縁部５ａによって動作凸部２４ａの部分が押されて可動絶縁筒２４を右方向へ移動させることによって引出接触端３ａの上下左右が露出し，引出接触子６が引出接触端３ａと接触する。
【００１９】
この状態から遮断器本体２を引き出すと動作板２６が左方向へ移動することによって、まず水平スライド部材１４が左方向へ移動し、続いて上下スライド部材１５が下方に移動してシャッタ板１１が引出接触端３ａの先端端面を覆い、さらにフック１８が時計方向に回転してロックフック部１８ｂがロック係合部１４ａと係合可能になる。一方、可動絶縁筒２４もばね２５の作用により左方向へ移動し図４の状態となり引出接触端３ａの前面が絶縁物で覆われる。
【００２０】
このシャッタ装置は、保守点検などのために遮断器本体２を引き出した状態でシャッタ板１１を開けることができる。すなわち、手でフック１８を時計方向に回転させてフック１８と共に上下スライド部材１５を上方へ移動させればよい。また、シャッタ板１１を上方へあげた状態でフック１８を反時計方向に回転させると保持フック部１８ｃが保持係合部１４ｃと係合しシャッタ板１１が開いた状態で保持でき、両手を使っての保守点検作業が可能となる。この状態からシャッタ板１１を閉じるためにはフック１８を時計方向に回転させて下方へ下げればよい。もし、誤って閉じる操作を忘れて遮断器本体２を挿入しても、動作板２６がフック１８を反時計方向に回転させて図５の状態となり、次に遮断器本体２を引き出してもシャッタ板１１は前述のごとく自動的に引出接触端３ａを覆うため安全上の問題は生じない。
【００２１】
【発明の効果】
以上のようにこの発明による引出型回路遮断器のシャッタ装置は、取付枠の端子の引出接触端の周囲に固定絶縁物と可動絶縁物を取付けるのでこれらの絶縁物は小さなもので構成され、確実に絶縁できるとともにシャッタ板は端子の端面を覆うだけの小さなもので十分でありこのシャッタ板を操作する動作装置も小型化できるという効果を奏する。
【図面の簡単な説明】
【図１】この発明の実施例に係るシャッタ装置を装着した引出型回路遮断器の要部側面断面図である。
【図２】図１の遮断器本体を取り外した取付枠の正面図である。
【図３】図１のシャッタ装置の遮断器本体を挿入する前の正面図である。
【図４】図３の側面図である。
【図５】図１のシャッタ装置の遮断器本体を挿入後の側面図である。
【図６】図１のシャッタ装置の主要部分の分解斜視図である。
【図７】図１のシャッタ装置の部分分解斜視図である。
【図８】図１の回路遮断器の遮断器本体を説明する部分図である。
【符号の説明】
１    取付枠
２    遮断器本体
３    電源側端子
４    負荷側端子
３ａ，４ａ  引出接触端
５    ベース
５ａ  開口縁部
６，７    引出接触子
８    側板
９，１０    シャッタユニット
１１，１２    シャッタ板
１１ａ  端部
１３    ユニット取付板
１４    水平スライド部材
１４ａ  ロック係合部
１４ｂ  長孔
１４ｃ  保持係合部
１５    上下スライド部材
１６    主スタッド
１７    ガイドスタッド
１８    フック
１８ｂ  ロックフック部
１８ｃ  保持フック部
２１    ブッシング
２１ａ  小外周部
２１ｂ  大外周部
２２    動作スタッド
２３    固定絶縁筒
２４    可動絶縁筒
２４ａ  動作凸部
２５    ばね
２６    動作板
２６ａ  傾斜縁
【図１】
0003659610.tif 000002
【図２】
0003659610.tif 000003
【図３】
0003659610.tif 000004
【図４】
0003659610.tif 000005
【図５】
0003659610.tif 000006
【図６】
0003659610.tif 000007
【図７】
0003659610.tif 000008
【図８】
0003659610.tif 000009